(57)【要約】【課題】収容容器の下部が位置ずれした傾きを規制できる収容容器を提供する。【解決手段】フック部を備えた収容容器において、フック部は、蓋体の上部に第一の屈曲部を谷型に形成し、更に延長した蓋体上部に第二の屈曲部を山折り形成して前側パネルとし、前側パネルの上端の蓋体に繋がる部分の後側を後側パネルとし、フック部に開口した吊下げ孔は、前側パネル及び後側パネルにそれぞれ開口するとともに、収容容器の吊下げ時に、該収容容器が前後に傾斜しないように、前側パネルの吊下げ孔を前記製品の重心位置とした収容容器。【選択図】図１
2014136601.tif 000002
【特許請求の範囲】
【請求項１】
収容空間内に製品を収容する収容部と、収容部の収容空間を塞ぐ板状の蓋体とを有し、蓋体の上方に収容容器を吊下げフックに吊下げ可能にするためのフック部を備えた収容容器において、
フック部は、蓋体の上部に第一の屈曲部を谷型に形成し、更に延長した蓋体上部に第二の屈曲部を山折り形成して前側パネルとし、前側パネルの上端の蓋体に繋がる部分の後側を後側パネルとし、
フック部に開口した吊下げ孔は、前側パネル及び後側パネルにそれぞれ開口するとともに、
収容容器の吊下げ時に、該収容容器が前後に傾斜しないように、前側パネルの吊下げ孔を前記製品の重心位置としたことを特徴とした収容容器。
【請求項２】
フック部は、蓋体の上部を延長して第一の屈曲部を谷折り形成し、延長した蓋体上部に第二の屈曲部を山折り形成して前側パネルとし、更にこの前側パネルの上端が収容容器の上端部となるように第三の屈曲部を山折り形成し、その第三の屈曲部の後部を下方に延ばして蓋体に固定して後側パネルとになるように形成したものであることを特徴とする請求項１に記載の収容容器。
【請求項３】
収容容器の吊下げた時、前側パネルに設けた吊下げ孔は第二の屈曲部にまたがって形成され、少なくとも前側パネル孔の上端で吊下げフックに当接することを特徴とした請求項１または２に記載の収容容器。
【請求項４】
後側パネルは、その吊下げ孔の下端が、吊下げフックに当接するようにしたことを特徴とした請求項１ないし３のうちの1項に記載の収容容器。
【発明の詳細な説明】
【技術分野】
【０００１】
本発明は、吊下げフックに吊下げ可能な収容容器に関する。
【背景技術】
【０００２】
従来、歯ブラシや口腔清浄剤等の製品を包装した状態の収容容器には、店頭のフックに縦列して吊下げて陳列し、顧客に目に付きやすくし、商品選択を容易にするものがある。この種の収容容器では、種々に提案されている。
【０００３】
（１）そのひとつに、商品収納ケースがあり、このケースでは、配送時には、吊下げ用穴明き部をケース内に押し込んで、ケース外に余分な紙片を突出させないようにし、一方、吊下げ時にはケース内の折込んだ対向する紙片を引き上げて抜け止めして山形状にして吊下げ可能とした商品収納ケースがある（特開平８−７２８５５号公報：特許文献１）。
【０００４】
この収納ケースでは、吊下げ紙片をケース内に押し込んでケース外に余分な紙片を突出させないことで配送時の商品収納スペースを最小にすることができる。また、商品の重心直上をハンガーで吊下げるので、吊下げ時にも傾斜することなく、整列して縦列陳列できるようにしている。
【０００５】
（２）また、配送時に吊下げ用穴あき部をケース外側に貼り付けた形として、吊下げ時に上部紙片を外して、差し込み片をケースに差し込むことで、山形状にして吊下げ可能とする包装用箱が提案されている（実開平３−３２０２２号公報：特許文献２）。
【０００６】
（３）また、剛性樹脂フィルムからなる袋体において、一片を延長してその内側に厚手の補強片を設けて封函後に折り曲げて可能なヘッダーで両片間に空間部を形成させる包装袋が提案されている（実開昭６２−３１０３７号公報：特許文献３）。
【０００７】
しかしながら、上記のような各種の吊下げ可能な収容容器においては、店頭にて吊下げ陳列時に、製品の重みによって収容容器を横から見た場合に傾きが発生し、陳列外観が劣ることが問題となっていた。
【先行技術文献】
【特許文献】
【０００８】
【特許文献１】特開平８−７２８５５号公報
【特許文献２】実開平３−３２０２２号公報
【特許文献３】実開昭６２−３１０３７号公報
【発明の概要】
【発明が解決しようとする課題】
【０００９】
本発明は、斯かる実情に鑑み、製品を収容する収容容器の下部が位置ずれした傾きを規制できる収容容器を提供しようとするものである。
【課題を解決するための手段】
【００１０】
本発明は、収容空間内に製品を収容する収容部と、収容部の収容空間を塞ぐ板状の蓋体とを有し、蓋体の上方に収容容器を吊下げフックに吊下げ可能にするためのフック部を備えた収容容器において、
フック部は、蓋体の上部に第一の屈曲部を谷型に形成し、更に延長した蓋体上部に第二の屈曲部を山折り形成して前側パネルとし、前側パネルの上端の蓋体に繋がる部分の後側を後側パネルとし、
フック部に開口した吊下げ孔は、前側パネル及び後側パネルにそれぞれ開口するとともに、
収容容器の吊下げ時に、該収容容器が前後に傾斜しないように、前側パネルの吊下げ孔を前記製品の重心位置としたことを特徴とした収容容器である。
【００１１】
本発明において、フック部は、蓋体の上部を延長して第一の屈曲部を谷折り形成し、延長した蓋体上部に第二の屈曲部を山折り形成して前側パネルとし、更にこの前側パネルの上端が収容容器の上端部となるように第三の屈曲部を山折り形成し、その第三の屈曲部の後部を下方に延ばして蓋体に固定して後側パネルとになるように形成したものであることが好適である。
【００１２】
本発明において、収容容器の吊下げた時、前側パネルに設けた吊下げ孔は第二の屈曲部にまたがって形成され、少なくとも前側パネル孔の上端で吊下げフックに当接することが好適である。
【００１３】
また、本発明において、後側パネルは、その吊下げ孔の下端が、吊下げフックに当接するようにしたことが好適である。
【発明の効果】
【００１４】
本発明の収容容器によれば、フック部に開口した吊下げ孔は、前側パネル及び後側パネルにそれぞれ開口するとともに、収容容器の吊下げ時に、該収容容器が前後に傾斜しないように、前側パネルの吊下げ孔を前記製品の重心位置としたので、吊下げ時にも傾斜することがなく、整列して縦列陳列することができる。
【００１５】
また、前側パネルの吊下げ孔と後側パネルの吊下げ孔に吊下げフックを通して支持できるので、展示安定性を確保できる。
【００１６】
なお、本発明において、収容容器の吊下げた時、前側パネルに設けた吊下げ孔は第二の屈曲部にまたがって形成し、少なくとも前側パネル孔の上端で吊下げフックに当接するようにすれば、前側パネルの吊下げ孔の位置が第二の屈曲部にあるため、吊下げフックを吊下げ孔に挿入しやすいものになる。
【００１７】
また、本発明において、後側パネルは、その吊下げ孔の下端が、吊下げフックに当接するようにすれば、収容容器が前後に更に揺れにくくできる。
【図面の簡単な説明】
【００１８】
【図１】本発明の第１実施形態に係る収容容器の側方視図である。
【図２】（ａ）が第１実施形態に係る収容容器の蓋体の裏側から見た斜視図、（ｂ）が該収容容器の展開図である。
【図３】比較例の収容容器の側方視図である。
【図４】（ａ）が比較例の吊下げ状態の説明図、（ｂ）が第１実施形態の吊下げ状態の説明図である。
【図５】第１実施形態の変形例の説明図であり、（ａ）が比較例の吊下げ状態の説明図、（ｂ）が変形例の吊下げ状態の説明図である。
【図６】（ａ）が第２実施形態に係る収容容器の蓋体の斜視図、（ｂ）が該蓋体の展開図である。
【発明を実施するための形態】
【００１９】
以下、本発明の実施形態について、添付図面を参照して説明する。
【００２０】
本発明の第１実施形態に係る収容容器を図１〜図４によって、説明する。
【００２１】
図１に示すように、第１実施形態に係る収容容器は、収容空間１０ａ内に製品Ｇを収容する収容部１０と、収容部１０の収容空間１０ａを塞ぐ板状の蓋体１２とを有し、蓋体の上方に収容容器を吊下げフック１４に吊下げ可能にするためのフック部１６を備えた収容容器である。
【００２２】
前記収容部１０は、一側方向の突出した膨出部内の空間を収容空間であり、透明樹脂製のブリスター、または熱加工により収縮可能なフィルムから適宜に選択して形成できる。前記蓋体１２は、表面がコートされたコート紙を紙板材からなり、紙板材としては、パルプや樹脂材からなる単相または積層の紙板材から適宜に選択して形成できる。
【００２３】
吊下げフック１４は、店舗などの陳列棚に植設された棒状体である。
【００２４】
フック部１６は、図１、図２に示すように、蓋体１２の上方を延長して第一の屈曲部１８を谷折り形成し、延長した蓋体１２上方に第二の屈曲部２０を山折り形成して前側パネル２２とし、更にこの前側パネル２２の上端が収容容器の上端部となるように第三の屈曲部２４を山折り形成し、その第三の屈曲部２４の後部を下方に延ばして蓋体１２に固定して後側パネル２６として形成したものである。
【００２５】
フック部１６に吊下げフック１４を通す吊下げ孔が開口形成されている。この吊下げ孔として、前側パネル２２及び後側パネル２６にそれぞれ吊下げ孔（２８ａ及び２８ｂ）が開口形成されている。
【００２６】
なお、蓋体１２には、図２に示すように、三角形形状の折込部３０が左右両側に設けられていて、第二の屈曲部２０を後側から支えて、第一の屈曲部１８、第二の屈曲部２０、第三の屈曲部２４が形成された前側パネル２２の変形防止をしている。
【００２７】
吊下げ孔の形成に関し、図１に示すように、収容容器の吊下げ時に、該収容容器が前後に傾斜しないように、前側パネル２２の吊下げ孔２８ａを前記製品Ｇの重心位置(一点鎖線Ｇ１で示す）としたものである。
【００２８】
ここで、図３に示す比較例を説明する。比較例の収容容器では、蓋体ａから上方に伸ばしたパネルｂが一枚であり、そのパネルｂに吊下げ孔ｃが形成されている。収容容器を真っ直ぐにしようとしても、収容部ｄ内の製品Ｇの重心Ｇ１が吊下げ孔ｃの位置と不一致になるので、図３や図４（ｂ）に示すように、収容容器は、後方に傾いている。
【００２９】
これに対して、第１実施形態の収容容器では、図１、図２に示すように前側パネル２２の吊下げ孔２８ａが山形に折り曲げ形成された第二の屈曲部２０にまたがって形成されている。そして、図４（ｂ）に示すように、前側パネル２２の吊下げ孔２８ａの内周面が吊下げフック１４に当接する。図１に示したように、当該吊下げ孔２８ａが前記製品Ｇの重心位置（一点鎖線Ｇ１で示す）と一致するので、収容容器が真っ直ぐにぶら下がり、傾くことがない。
【００３０】
したがって、製品の収容容器を吊下げフックに吊下げる際に展示安定性を確保でき、複数、整列して縦列陳列する場合に前後がぶつかりにくくなる。
【００３１】
なお、前側パネル２２の吊下げ孔２８ａの位置が第二の屈曲部２０にまたがって形成されているため、吊下げフック１４を吊下げ孔２８ａに挿入しやすいものになる。
また、後側パネル２６の吊下げ孔２８ｂは吊下げフック１４には当たらず、フリーな状態であるが、収容容器が下方に引かれて吊下げ孔２８ａが破れるなどしてフック部１６が破損しても、後側パネル２６の吊下げ孔２８ｂが吊下げフック１４から外れないため、収容容器が落ちることを防止できる。
【００３２】
次に第１実施形態の変形例について説明する。
図５は、第１実施形態の変形例の説明図であり、（ａ）が比較例の吊下げ状態の説明図、（ｂ）が第１実施形態の変形例の吊下げ状態の説明図である。
【００３３】
変形例に係る収容容器では、図５（ｂ）に示すように、前側パネル２２の吊下げ孔２８ａの内周面が吊下げフック１４に当接すると共に、後側パネル２６の吊下げ孔２８ｂの下端が、吊下げフック１４に当接するようにしたものである。
【００３４】
したがって、吊下げフック１４に両吊下げ孔２８ａ、２８ｂが当接するため、収容容器が前後に振れず、図５（ａ）示す、比較例の収容容器や図１の第１実施形態の収容容器に比較して、収容容器が前後に更に揺れにくくできる。
【００３５】
次に第２実施形態に係る収容容器を説明する。
図６の（ａ）が第２実施形態に係る収容容器の蓋体の斜視図、（ｂ）が該蓋体の展開図である。
【００３６】
第２実施形態に係る収容容器は、一枚の板体から蓋体１２を構成したものである。図６では、製品の収容部１０は図示を省略している。
【００３７】
この第２実施形態の収容容器では、図６に示すように、フック部１６を形成するのを、蓋体１２に略Ｕ字形状に切り込み３２を入れ、吊下げ孔２８ａ、２８ｂを穿孔して、切り込み３２の上方に差込孔３４を形成する。前側パネル２２に切り込み３２から切り起こして吊下げ片３６を形成する。その吊下げ片３６を上方に折り曲げて蓋体１２に対して谷型に折り曲げ形成し、吊下げ片３６の途中を山折り形成して前側パネル２２として、吊下げ片３６の先端３６ａを前記差込孔３４に差込み接着するなどして固定する。前側パネル２２のその差し込んだ位置の下部を後側パネル２６とする。差込位置周辺で前側パネル２２と後側パネル２６が山形を呈する。
【００３８】
吊下げフック１４に吊下げ孔２８ａ、２８ｂを通せば、第１実施形態や変形例と同様に吊下げることができる。その他の作用効果は第１実施形態や変形例と同様である。
【産業上の利用可能性】
【００３９】
本発明の収容容器は、各種製品をブリスターパックや台紙シュリンクなどに収容して店頭にて展示する収容容器に利用することができる。
【符号の説明】
【００４０】
１０  収容部
１０ａ  収容空間
１２  蓋体
１４  吊下げフック
１６  フック部
１８  第一の屈曲部
２０  第二の屈曲部
２２  前側パネル
２４  第三の屈曲部
２６  後側パネル
２８ａ  前側パネルの吊下げ孔
２８ｂ  後側パネルの吊下げ孔
３０  折込部
３２  切り込み
３４  差込孔
３６  吊下げ片
【図１】
2014136601.tif 000003
【図２】
2014136601.tif 000004
【図３】
2014136601.tif 000005
【図４】
2014136601.tif 000006
【図５】
2014136601.tif 000007
【図６】
2014136601.tif 000008